(57)【要約】【課題】握り方の如何に関わらず、凹部が指や掌に入って滑りが起き難い握り棒の提供。【解決手段】壁面と数十ｃｍの距離を隔てて廊下の側壁面に取付金具により連続的に取り付けられる手摺りＡは、円形柱１の外周面１１に楕円凹部１２を周方向に７２度間隔で五個形成してディンプル周設部１０とし、このディンプル周設部１０を円柱棒１の一端から他端まで外周面１１に２０ｍｍ間隔で列設している。  このため、手摺りＡは、手で握る際の握り方の如何に関わらず、指や掌が楕円凹部１２に入るので、滑りが起き難く、握掴力が弱い人の身体を確実に支えることができる。【選択図】図１
0003196384.tif 000002
【実用新案登録請求の範囲】
【請求項１】
構造物の壁面に所定距離を隔てて取り付けられ、手で握ることにより身体を支える円形柱状の握り棒であって、
棒外周面に同形の楕円凹部を周方向に等角度間隔で三個〜五個形成してディンプル周設部とし、該ディンプル周設部を所定間隔で棒一端から棒他端まで列設したことを特徴とする握り棒。
【請求項２】
各ディンプル周設部が有する前記楕円凹部の個数は同一であり、
棒一端から棒他端まで列設した各ディンプル周設部の個々の楕円凹部は、棒軸に沿って直線状に配列されていることを特徴とする請求項１に記載の握り棒。
【請求項３】
各ディンプル周設部が有する前記楕円凹部の個数は同一であり、
棒一端から棒他端まで列設した各ディンプル周設部の個々の楕円凹部は、棒軸に対して螺旋状に配列されていることを特徴とする請求項１に記載の握り棒。
【考案の詳細な説明】
【技術分野】
【０００１】
本考案は、構造物の壁面に所定距離を隔てて取り付けられ、手で握ることにより、握掴力（あっきゃくりょく）が弱い人の身体を支える円形柱状の握り棒に関する。
【背景技術】
【０００２】
特許文献１には、外周に凹部を長手方向に、一列または複数列形成した手すりが記載されている。
特許文献２には、外周に凹部を二列形成した安全手摺が記載されている。
【先行技術文献】
【特許文献】
【０００３】
【特許文献１】実用新案登録第３１９３２５３号
【特許文献２】特開２００７−２１１５７３号公報
【考案の概要】
【考案が解決しようとする課題】
【０００４】
上記特許文献１の手すりは、所定の握り方で手すりを握らないと、指や掌が凹部に入らず、滑りが起きる場合がある。
上記特許文献２の安全手摺は、握り方によっては、凹部が指や掌に入らず、滑りが起きる場合がある。
【０００５】
本発明の目的は、握り方の如何に関わらず、凹部が指や掌に入って滑りが起き難い握り棒の提供にある。
【課題を解決するための手段】
【０００６】
（請求項１について）
円形柱状の握り棒は、構造物の壁面に所定距離を隔てて取り付けられ、手で握ることにより、握掴力が弱い人の身体を支える。
【０００７】
この握り棒は、棒外周面に同形の楕円凹部を周方向に等角度間隔で三個〜五個形成してディンプル周設部としている。
そして、握り棒には、棒一端から棒他端まで、所定間隔でディンプル周設部が列設されている。
【０００８】
握り棒は、楕円凹部を等角度間隔で棒外周面に三個〜五個形成し、このディンプル周設部を所定間隔で棒一端から棒他端まで列設している。
このため、握り棒は、手で握る際の握り方の如何に関わらず、指や掌が楕円凹部に入るので、滑りが起き難く、握掴力が弱い人の身体を確実に支えることができる。
【０００９】
（請求項２について）
各ディンプル周設部が有する楕円凹部の個数は同一であり、棒一端から棒他端まで列設した各ディンプル周設部の個々の楕円凹部を、棒軸に沿って直線状に配列している。
握り棒は、楕円凹部が容易に形成できるので安価に製造できるとともに、楕円凹部が直線上に並ぶので見栄えが良い。
【００１０】
各ディンプル周設部の個々の楕円凹部を棒軸に沿って直線状に配列している。このため、握掴力が弱い人が、握力を弱めて握り棒上で手を摺動させて移動する際に、楕円凹部の同じ箇所が指や掌に入るので違和感が無い。
【００１１】
（請求項３について）
構造物が階段やスロープ等であって、その壁面から所定距離を隔てて握り棒が取り付けられている。握掴力が弱い人が、停止→移動→停止を繰り返して歩行する際には、握り棒から一旦手を離した後、握掴位置を変えて再び握り棒を握り直す。
【００１２】
請求項３の握り棒においては、各ディンプル周設部が有する楕円凹部の個数は同一であり、棒一端から棒他端まで列設した各ディンプル周設部の個々の楕円凹部は、棒軸に対して螺旋状に配列されている。
このため、握掴力が弱い人が、握り棒から一旦手を離して握り直した場合に、どんな握り方を行っても、凹部が指や掌に入るので滑りが防止でき、身体を確実に支えながら歩行することができる。
【図面の簡単な説明】
【００１３】
【図１】（ａ）は本発明の実施例１に係る手摺りの横面図であり、（ｂ）はそのｘ−ｘ’線断面図である。
【図２】（ａ）は本発明の実施例２に係る手摺りの説明図であり、（ｂ）はそのｙ−ｙ’線断面図である。
【図３】（ａ）は本発明の実施例３に係る手摺りの説明図であり、（ｂ）はそのｚ−ｚ’線断面図である。
【実施例１】
【００１４】
本発明の実施例１（請求項１、２に対応）に係る手摺りＡを図１に基づいて説明する。  図１に示す手摺りＡは、円形柱１の外周面１１に楕円凹部１２を周方向に７２度間隔で五個形成してディンプル周設部１０とし、壁面と数十ｃｍの距離を隔てて廊下（水平）の側壁面に取付金具により連続的に取り付けられる。      
【００１５】
円形柱１は、ゴムの木の集成材であり、円形柱状（直径３５ｍｍ、長さ９０ｃｍ）を呈する。なお、円形柱１の外周面１１は、ウレタン塗料で被覆されている。
楕円凹部１２は、楕円形のくぼみ（長軸１８ｍｍ、短軸１０ｍｍ、深さ２．５ｍｍ）であり、切削加工により形成されている。
【００１６】
ディンプル周設部１０は、柱一端から柱他端まで、円柱棒１の外周面１１に２０ｍｍ間隔で列設されている。本実施例では、各ディンプル周設部１０の個々の楕円凹部１２を、軸に沿って直線状に配列している。
【００１７】
実施例１の手摺りＡは、以下の利点を有する。
手摺りＡは、楕円凹部１２を７２度間隔で外周面１１に五個形成し、このディンプル周設部１０を２０ｍｍ間隔で、柱一端から柱他端まで、軸に沿って直線状に配列している。    
【００１８】
つまり、各ディンプル周設部１０の個々の楕円凹部１２が軸に沿って直線状に並ぶ。このため、手摺りＡは、手で握る際の握り方の如何に関わらず、指や掌が楕円凹部１２に入るので、滑りが起き難く、握掴力が弱い人の身体を確実に支えることができる。また、握力を弱めて手摺りＡ上で手を摺動させて移動する際に、楕円凹部１２の同じ箇所が指や掌に入るので違和感が無い。
【００１９】
手摺りＡは、楕円凹部１２が容易に形成できるので安価に製造できるとともに、楕円凹部１２が直線上に並ぶので見栄えが良い。
【実施例２】
【００２０】
本発明の実施例２（請求項１、３に対応）に係る手摺りＢを図２に基づいて説明する。  図２に示す手摺りＢは、円形柱２の外周面２１に楕円凹部２２を周方向に７２度間隔で五個形成してディンプル周設部２０とし、壁面と数十ｃｍの距離を隔ててスロープの側壁面に連続的に取り付けられる。
【００２１】
円形柱２は、実施例１と同様、ゴムの木の集成材であり円形柱状（直径３５ｍｍ、長さ９０ｃｍ）を呈する。なお、円形柱２の外周面２１は、ウレタン塗料で被覆されている。  楕円凹部２２は、実施例１と同様、楕円形のくぼみ（長軸１８ｍｍ、短軸１０ｍｍ、深さ２．５ｍｍ）であり、切削加工により形成されている。
【００２２】
ディンプル周設部２０は、柱一端から柱他端まで、円柱棒２の外周面２１に２０ｍｍ間隔で列設されている。
本実施例では、起点となるディンプル周設部２０の楕円凹部２２に対して、隣合うディンプル周設部２０の個々の楕円凹部２２を３６度ずらしている。
これにより、柱一端から柱他端まで列設した各ディンプル周設部２０の個々の楕円凹部２２が、軸に対して螺旋状に配列される。
【００２３】
実施例２の手摺りＢは、以下の利点を有する。
握掴力が弱い人がスロープを歩行する際には、手摺りＢから一旦手を離し、握掴位置を変えて再び手摺りＢを握り直して、歩行停止→歩行→歩行停止を繰り返す。
【００２４】
軸に対して螺旋状になるように楕円凹部２２を配列しているため、手摺りＢから一旦手を離して握り直した場合に、楕円凹部２２が指や掌に入るので滑りが防止でき、身体を確実に支えながら歩行することができる。
【実施例３】
【００２５】
本発明の実施例３（請求項１、３に対応）に係る手摺りＣを図３に基づいて説明する。  図３に示す手摺りＣは、円柱棒３の外周面３１に楕円凹部３２を周方向に７２度間隔で五個形成してディンプル周設部３０とし、壁面と数十ｃｍの距離を隔てて螺旋階段の側壁面に取り付けられる。
【００２６】
円形柱３は、アクリル樹脂で形成され円形柱状（直径３５ｍｍ、長さ６０ｃｍ）を呈する。
楕円凹部３２は、実施例１、２と同様、楕円形のくぼみ（長軸１８ｍｍ、短軸１０ｍｍ、深さ２．５ｍｍ）であり、切削加工により形成されている。
【００２７】
ディンプル周設部３０は、柱一端から柱他端まで、円柱棒３の外周面３１に２０ｍｍ間隔で列設されている。
本実施例では、起点となるディンプル周設部３０の楕円凹部３２に対して、隣合うディンプル周設部３０の個々の楕円凹部３２を２４度ずらしている。
これにより、柱一端から柱他端まで列設した各ディンプル周設部３０の個々の楕円凹部３２が、軸に対して螺旋状に配列される。
【００２８】
実施例３の手摺りＣは、以下の利点を有する。
握掴力が弱い人が、停止→昇降→停止を繰り返して螺旋階段を昇ったり降りたりする場合には、手摺りＣから一旦手を離した後、握掴位置を変えて再び手摺りＣを握り直す。
【００２９】
手摺りＣにおいて、柱一端から柱他端まで列設した各ディンプル周設部３０の個々の楕円凹部３２は、軸に対して螺旋状に配列されている。
このため、握掴力が弱い人が螺旋階段を昇降する場合に、手摺りＣから一旦手を離した後、握掴位置を変えて再び手摺りＣを握り直した場合に、楕円凹部３２が指や掌に入るので滑りが防止でき、身体を確実に支えながら螺旋階段を昇ったり降りたりすることができる。
【００３０】
（変形例）
ａ．円形柱１、２、３（握り棒）の直径は、手で握れる大きさであれば、３２ｍｍ等、任意の寸法で良い。また、柱長は、任意で良い。
また、円形柱１、２、３の材質は、他の木材、他のプラスチック、金属、ゴムであっても良い。
円形柱１、２、３の柱表面は、他の保護材（ハイブリッドシリコン樹脂塗料、ＵＶ塗料、ニス、漆、透明シートなど）で被覆されていても良く、未被覆であっても良い。
【００３１】
ｂ．楕円凹部１２、２２、３２は、他の加工方法（押圧加工など）で形成しても良い。
ｃ．円形柱１、２、３の柱表面に形成する楕円凹部１２、２２、３２は、等角度間隔であれば、三個や四個でも良い。
【００３２】
ｄ．構造物の壁面に所定距離を隔てて取り付けられる円形柱１、２、３（握り棒）の向きは、水平や斜め以外に垂直でも良い。
【産業上の利用可能性】
【００３３】
本考案の握り棒は、握り方の如何に関わらず、凹部が指や掌に入って滑りが起き難く、握掴力が弱い人の身体を確実に支えることができる。
【符号の説明】
【００３４】
Ａ、Ｂ、Ｃ  手摺り（握り棒）
１１、２１、３１  外周面（棒外周面）
１２、２２、３２  楕円凹部
１０、２０、３０  ディンプル周設部
【図１】
0003196384.tif 000003
【図２】
0003196384.tif 000004
【図３】
0003196384.tif 000005